(57)【特許請求の範囲】
【請求項１】
水泳用ゴーグル又はマスクを着用者の頭に再現よく取り付けるストラップであって、
テンショナと、
前記ストラップの長手方向の少なくとも一部に沿って設けられている印を有する部分とを備え、
前記印を有する部分は、使用時に前記テンショナを通り、前記テンショナは、前記ストラップの部分の前記印のうちの少なくとも一つが見える窓を定めるフレームを有し、
前記印は、前記ストラップによる所望の張りが再現可能となる基準を着用者に与えることを特徴とするストラップ。
【請求項２】
前記印は目に見える印及び触って分かる印の少なくとも一方であることを特徴とする請求項１に記載のストラップ。
【請求項３】
前記印は数字の印であることを特徴とする請求項１又は請求項２に記載のストラップ。
【請求項４】
前記窓内における所望の印の位置を示す指標を含むことを特徴とする請求項１から請求項３のいずれか一つに記載のストラップ。
【請求項５】
前記指標は前記テンショナに設けられていることを特徴とする請求項４に記載のストラップ。
【請求項６】
前記指標は線状の要素又は矢印状の要素であることを特徴とする請求項４又は請求項５に記載のストラップ。
【請求項７】
前記指標は、
前記テンショナ及び前記テンショナに隣接するストラップの部分である第１の部分の少なくとも一方の表面を突出させることによって形成されるか、
前記テンショナ及び前記第１の部分の少なくとも一方の表面を陥没させることによって形成されるか、
又は、前記テンショナ及び前記第１の部分の少なくとも一方の表面上に印刷されることを特徴とする請求項４から請求項６のいずれか一つに記載のストラップ。
【請求項８】
前記テンショナは、前記取付部分から延びる二つのアームを備え、
該二つのアームの前記取付部分から遠い方の端は、それぞれ歯を含み、
該歯は、前記取付部分から遠い方の開口を定め、
前記窓を定める前記フレームは、前記取付部分、前記アーム及び前記歯を含むことを特徴とする請求項１に記載のストラップ。
【請求項９】
前記テンショナは、使用時に着用者の身体に面する下側表面と、反対側の上側表面とを含むことを特徴とする請求項８に記載のストラップ。
【請求項１０】
前記歯は、前記テンショナの前記下側表面よりも前記上側表面に近く、
前記テンショナは、前記アーム間に延びる二つのクロスバーを更に有し、
前記取付部分から遠い方の前記クロスバーは、前記テンショナの前記上側表面よりも前記下側表面に近いことを特徴とする請求項９に記載のストラップ。
【請求項１１】
前記テンショナの前記上側表面及び前記下側表面は、凸状の表面であることを特徴とする請求項９又は請求項１０に記載のストラップ。
【請求項１２】
前記上側表面及び前記下側表面は、６５ｍｍ〜９０ｍｍの曲率半径を有することを特徴とする請求項１１に記載のストラップ。
【請求項１３】
前記上側表面及び前記下側表面は、８６ｍｍの曲率半径を有することを特徴とする請求項１２に記載のストラップ。
【請求項１４】
アイウェア用のヘッドストラップであることを特徴とする請求項１から請求項１３のいずれか一つに記載のストラップ。
【請求項１５】
前記ストラップは、前記テンショナ端とは反対側の第１のアイウェア接続端と、第２のアイウェア接続端とを有し、
前記第１のアイウェア接続端及び前記第２のアイウェア接続端は、使用時に着用者の後頭部の周りを通る接続部分によって連結されていることを特徴とする請求項１に記載のストラップ。
【請求項１６】
前記第２の部分は、クリップ端を有し、
該クリップ端は、クリップを含むとともに該クリップを終端させ、
前記第２の部分は、使用時に前記テンショナを通り、
前記クリップは、前記第２の部分に解除可能に固定できることを特徴とする請求項１に記載のストラップ。
【請求項１７】
前記クリップは、前記第２の部分に解除可能に固定できるとともに該第２の部分に沿って移動可能であることを特徴とする請求項１６に記載のストラップ。
【請求項１８】
前記クリップは、挿入部及び開口を定める一対の固定部を備え、
前記ストラップの前記第２の部分は、前記開口を通して前記挿入部に挿入可能であることによって、前記クリップを該第２の部分に解除可能に固定することを特徴とする請求項１６又は請求項１７に記載のストラップ。
【請求項１９】
前記テンショナの取付部分は、爪部を有し、
前記爪部は、該爪部の幅を横切って延びる少なくとも一つのリブを有し、
前記少なくとも一つのリブは、前記爪部より大きい幅及び厚さの少なくとも一方を有し、
前記爪部及び前記リブによって、該テンショナとストラップとが結合されることを特徴とする請求項１に記載のストラップ。
【請求項２０】
前記取付部分は、少なくとも二つのリブを有することを特徴とする請求項１９に記載のストラップ。
【請求項２１】
前記爪部は、少なくとも一つの孔を更に含むことを特徴とする請求項１９又は請求項２０に記載のストラップ。
【請求項２２】
請求項１から請求項２１のいずれか一つに記載のストラップを有する水泳用ゴーグル又はマスク。
【発明の詳細な説明】
【技術分野】
【０００１】
本発明はストラップに関する。特に、本発明は、衣類（例えばスポーツウェア）又は物品（例えばハンドパドル若しくは足ひれ等のスポーツ用品）を着用者／ユーザの身体に固定するのに有用なストラップ（又はベルト）に関する。特に好ましい実施の形態は、安全性及び／又はスポーツ用のアイウェア等のためのヘッドストラップに関する。
【背景技術】
【０００２】
アイウェアの紛失又はずれを回避するためにアイウェアを着用者の頭部に固定することが望ましい場合が多い。水泳又はスキー等のスポーツ活動において着用されるアイウェア（例えばゴーグル又はマスク）の場合、アイウェアを着用者の顔に固定することが特に重要であり、通常はこのために弾性のヘッドストラップが用いられる。
【０００３】
理想的には、これらのヘッドストラップは、頭部の大きさに応じて調節可能であるとともに、着用者が自身の所望のストラップの張りを調節することを可能にする必要がある。この調節機能を達成する一つの方法は、ストラップを通すバックルであって、アイウェアが適切な位置に位置すると、ストラップの自由端を引っ張ってヘッドストラップを締め付けるバックルを提供することであった。
【発明の概要】
【発明が解決しようとする課題】
【０００４】
ストラップが締め付けられると、幾つかの理由からストラップの張りを再調節することが困難である可能性がある。第１に、ヘッドストラップは締め付けることより緩めることの方が困難であり、ヘッドストラップを緩めるにはアイウェアを外すことが必要な場合もある。第２に、着用者が競技スポーツ活動に参加している場合、競技活動が始まってからしかヘッドストラップが不適切に調節されていることが明らかになる場合があり、この時点では何らかの更なる調節を行うには遅すぎる。この理由から、ヘッドストラップが適切に調節されていることを着用者が確かめることができるように、ヘッドストラップの張りの確実で正確な測定を可能にする何らかの手段を提供することが望ましい。
【０００５】
従来のバックル調節構成に関連する別の問題は、アイウェアが適所にあるときに自由端がはためくことによって不快感を引き起こし、注意を散漫させる可能性があることである。
【０００６】
さらに、アイウェアが着用されているときに、バックルは、頭部の後ろから大きく突出する可能性がある。これは、特に頭部にぴったりフィットする帽子（ハット又はキャップ）をストラップの上から着用する場合に不快感を引き起こす可能性がある。さらに、水泳用のゴーグルの場合、バックルの突出は、（バックルがスイミングキャップによって覆われていようとなかろうと）摩擦抗力を発生させる可能性があり、これは望ましくない。
【課題を解決するための手段】
【０００７】
第１の態様では、本発明は、スポーツ用の衣類又は物品を着用者／ユーザの身体に固定するストラップであって、テンショナと、ストラップの長手方向の少なくとも一部に沿って設けられている印を有する部分とを含み、印を有する部分は、使用時にテンショナを通り、該テンショナは、該ストラップの部分の上記印のうちの少なくとも一つが見える窓を定めるフレームを有するストラップを提供する。
【０００８】
ストラップの一部に印を設けることによって、ストラップの所望の張りを確実に再現することが可能である。例えば、着用者は、ストラップを所望の張りに合わせてから、所望の張りにおいてテンショナ窓内の印を見ることができる。この場合、着用者は、所望の張りを再び生じさせるために、同じ印がテンショナ窓内に位置するようにストラップを調節できることが分かる。
【０００９】
印は目に見える印及び／又は触って分かる印とすることができる。印は数字の印であってもよい。
【００１０】
好ましくは、ストラップは、所望の印をテンショナ窓内に正確に位置決めするのに有用な指標を含む。指標はテンショナに設けることができる。指標は、テンショナの表面を突出させることによって形成されてもよいし、テンショナの表面を陥没させることによって形成されてもよいし、又はテンショナの表面上に印刷されてもよい。指標を設けることによって、着用者は、テンショナ窓内の所望の印の必要な位置をより正確に判断することができる。
【００１１】
指標は線状の要素又は矢印状の要素とすることができる。これによって、線状の要素又は矢印状の要素の頂点は所望のストラップの張りでの所望の印を読み取る正確な位置を示すことに用いることができるため、所望の印が所望の位置にあるかの判断の正確性がより一層高まり、所望のストラップの張りを再び生じさせるために所望の印を正確に位置決めできる。
【００１２】
第２の態様では、本発明は、衣類／物品（例えばスポーツ用の衣類／物品）を着用者／ユーザの身体に固定するストラップであって、取付部分を有するテンショナを含むテンショナ端を備える第１の部分であって、取付部分はテンショナ端に取り付けるためのものである、第１の部分と、ストラップの長手方向の少なくとも一部に沿って設けられている印を有する第２の部分とを含み、該第２の部分は、使用時にテンショナを通り、該テンショナは、第２の部分の上記印のうちの少なくとも一つが見える窓を定めるフレームを備えるストラップを提供する。
【００１３】
第２の部分に印を設けることによって、ストラップの所望の張りを確実に再現することが可能である。例えば、着用者は、ストラップを所望の張りに合わせてから、所望の張りにおいてテンショナ窓内の印を見ることができる。この場合、着用者は、所望の張りを再び生じさせるために、同じ印がテンショナ窓内に位置するようにストラップを調節できることが分かる。
【００１４】
印は目に見える印及び／又は触って分かる印とすることができる。印は数字の印であってもよい。
【００１５】
好ましくは、ストラップは、所望の印をテンショナ窓内に正確に位置決めするのに有用な指標を含む。指標はテンショナ（例えばテンショナのサイドアーム及び／若しくはテンショナの取付部分）又はテンショナに隣接するストラップの第１の部分に設けることができる。指標は、テンショナ及び／若しくは第１の部分の表面を突出させることによって形成されてもよいし、テンショナ及び／若しくは第１の部分の表面を陥没させることによって形成されてもよいし、又はテンショナ及び／若しくは第１の部分の表面上に印刷されてもよい。指標を設けることによって、着用者は、テンショナ窓内の所望の印を所望の位置に正確に位置決めできる。
【００１６】
指標は線状の要素又は矢印状の要素とすることができる。これによって、線状の要素又は矢印状の要素の頂点は所望のストラップの張りでの所望の印を読み取る正確な位置を示すことに用いることができるため、所望の印が所望の位置にあるかの判断の正確性がより一層増し、所望のストラップの張りを再び生じさせるために所望の印を正確に位置決めできる。
【００１７】
窓は好ましくはサイドアーム、歯及び取付部分によって定められる。
【００１８】
好ましい実施の形態では、テンショナは、取付部分から延びる二つのアームを備え、これらのアームの取付部分から遠い方の端はそれぞれ歯を含む。該歯は取付部分から遠い方の開口を定める。実施の形態では、窓を定めるフレームは、取付部分、アーム及び歯を含む。
【００１９】
好ましくは、テンショナは、使用時に着用者の身体に面する下側表面と、反対側の上側表面とを含み、歯は、テンショナの下側表面より上側表面に近い。テンショナは、アーム間に延びる二つのクロスバーを更に備え、取付部分から遠い方のクロスバーはテンショナの上側表面より下側表面に近い。
【００２０】
この構成は、テンショナの厚さを最小限に抑える（例えばストラップが頭部用のストラップである場合に、頭部にぴったりフィットする帽子（ハット又はキャップ）を装着したときに不快感を低減し、また摩擦抵抗を低減する）のに有用である。使用時に、ストラップの第２の部分は、歯、及び取付部分から遠い方のクロスバーの周りに二重の層として位置する（一方で第２の部分は、取付部分に近い方のクロスバーの周りでループ状になるため一つの層のみが近い方のクロスバーの両側に位置する）。遠い方のクロスバーと歯とのずれは、二重の層になった第２の部分が、テンショナの表面を越えて突出することを防止するのに役立つ。第２の部分の二重の層は遠い方のクロスバーの上を通るため、遠い方のクロスバーを上側表面から離して位置決めすることは、二重の層が上側表面上に突出することなく位置できるスペースを提供するのに役立つ。第２の部分の二重の層は歯の下を通るため、歯を下側表面から離して（例えば上側表面と同一平面上に）位置決めすることは、二重の層が下側表面の下に突出することなく位置できるスペースを提供するのに役立つ。
【００２１】
取付部分に近い方のクロスバーは、テンショナの上側表面と下側表面との中間に位置することができるが、好ましくは上側表面に向かって僅かにずらされる。これは、第２の部分をテンショナ内への挿入を容易にするのに役立つ。
【００２２】
好ましくは、ストラップはアイウェア用のヘッドストラップであり、テンショナは、使用時に着用者の頭部に面する下側表面を有する。
【００２３】
好ましい実施の形態では、テンショナの上側表面及び下側表面は湾曲して凸状面になっている。好ましくは、テンショナの上側表面及び下側表面は湾曲して凸状の円筒面になっている。曲率半径は好ましくは６５ｍｍ〜９０ｍｍである。より好ましくは、曲率半径は７５ｍｍ〜９０ｍｍであり、最も好ましくは８４ｍｍ〜８８ｍｍである。曲率半径は好ましくは、平均的な男性の９５％の頭部の後部の湾曲に適合するように選択される。この場合、曲率半径は約８６ｍｍである。
【００２４】
テンショナの凸状に湾曲した上側表面及び下側表面を設けること（湾曲したテンショナを提供することと同じである）によって、テンショナを着用者の身体にフィットさせることが可能である。ヘッドストラップのテンショナを着用者の頭部にフィットさせることは、着用者が、ぴったりフィットする帽子（ハット又はキャップ）をヘッドストラップの上から着用する場合の不快感を最小限に抑える。湾曲したテンショナは、着用者の頭部から突出しないため、ストラップが水泳用ゴーグルに用いられる場合に水の抵抗を低減するのにも役立つ。
【００２５】
好ましくは、テンショナは、ポリカーボネート等のプラスチック材料で形成される。
【００２６】
好ましい実施の形態では、テンショナの取付部分は、爪部の幅を横切って延びる少なくとも一つのリブを有する爪部を備え、少なくとも一つのリブは爪部より大きい幅及び／又は厚さを有する。好ましくは、取付部分は少なくとも二つのリブを備える。より好ましくは、上記爪部は少なくとも一つの孔を更に含む。
【００２７】
爪部、少なくとも一つのリブ及び孔は、テンショナをストラップのテンショナ端に取り付けるときに役立つように設けられている。好ましくは、ストラップは、取付部分の周りに成形される（例えば射出成形又は圧縮成形される）プラスチック材料（例えばシリコーン）で形成される。少なくとも一つのリブを設けること、及び少なくとも一つの孔を任意に設けることによって、成形されたプラスチック材料と取付部分との間の結合を堅固にできる。
【００２８】
幾つかの好ましい実施の形態では、第２の部分はクリップ端を備え、該クリップ端はクリップを備え、クリップ端は該クリップを終端させる。使用時に、第２の部分はテンショナを通り、クリップは第２の部分に解除可能に固定できる。
【００２９】
テンショナ及びクリップで終端する二つの端を有するストラップを提供することによって、クリップは、第２の部分をテンショナに通した後で第２の部分に解除可能に固定でき、自由端がパタパタと動くことによって不快感を引き起こし、注意の散漫させる問題を解決できる。
【００３０】
好ましくは、クリップは第２の部分に解除可能に固定できるとともに第２の部分に沿って（例えば摺動によって）移動可能である。これによっては、第２の部分におけるテンショナとクリップ端との間に生じる緩みを防止でき、この場合も同様に不快感及び注意の散漫の可能性を低減する。
【００３１】
好ましくは、クリップは、挿入部（channel）及び開口を定める一対の固定部（jaws）を備え、ストラップの第２の部分は、上記開口を通して上記挿入部に挿入可能であることでクリップを第２の部分に解除可能に固定する。挿入部は好ましくは、長辺及び短辺を有する断面（例えば矩形の断面）を有し、断面の長辺は第２の部分の幅と実質的に一致する。これは、第２の部分が挿入部内にぴったりと嵌まることを確実にし、これによってクリップが第２の部分に沿って不用意に移動することを防止する。
【００３２】
好ましくは、短辺を定めるクリップの短辺は、該クリップの短辺がテンショナのサイドアーム間及び二つのクロスバー間を通ることができるように十分に小さい。逆に、長辺を定めるクリップの長辺（これはストラップの第２の部分の幅と少なくとも一致しなければならない）は通常、テンショナのサイドアームとクロスバーとの間の距離より大きいため、クリップは、該クリップの長辺が表されるときは通ることができない。この構成は、（クロスバーの方向の）テンショナの幅を低減することを可能にする（このことは摩擦抗力を低減し、着用者の快適さを高めるのに役立つ）。テンショナは、クリップの長辺ではなく短辺の通過を可能にするのに十分な幅を有するだけでよい。
【００３３】
好ましくは、クリップは、ポリカーボネート等のプラスチック材料で形成される。
【００３４】
好ましい実施の形態では、クリップは、爪部（tab）の幅を横切って延びる少なくとも一つのリブを有する爪部を有するクリップ取付部分を備え、少なくとも一つのリブは爪部より大きい幅を有する。より好ましくは、上記爪部は少なくとも一つの孔を更に含む。
【００３５】
爪部、リブ及び孔は、クリップを、ストラップのクリップ端部に取り付けるときに役立つように設けられている。好ましくは、ストラップは、クリップ取付部分の周りに成形される（例えば射出成形又は圧縮成形される）プラスチック材料（例えばシリコーン）で形成される。リブを設けること、及び少なくとも一つの孔を任意に設けることによって、成形されたプラスチック材料とクリップ取付部分との間の結合を堅固にできる。
【００３６】
好ましくは、ストラップはアイウェア用のヘッドストラップであり、ヘッドストラップの第１の部分は、テンショナ端とは反対側の第１のアイウェア接続端を有し、ヘッドストラップの第２の部分はクリップ端とは反対側の第２のアイウェア接続端を有する。最も好ましくは、第１のアイウェア接続端及び第２のアイウェア接続端は接続部分を介して互いに接続されており、接続部分は、使用時に、第１の部分、第２の部分及び接続部分が着用者の後頭部の周りに二重ループを形成するように着用者の後頭部の周りを通る。この場合、本発明は、一体のテンショナ及びクリップを有する一体型二重ループストラップを提供する。
【００３７】
好ましくは、ストラップは、（例えばドライブ若しくはスキー用の）マスク又は（例えば水泳用の）ゴーグルのようなスポーツアイウェア用のヘッドストラップである。（上述したような）二重ループストラップは、水泳用ゴーグル等、特に競技イベントにおいて用いられるスポーツアイウェアに特に望ましい。
【００３８】
ここで、本発明の好ましい実施形態を、添付の図面を参照して説明する。
【図面の簡単な説明】
【００３９】
【図１】第１の好ましい実施形態の上面図である。
【図２】本発明の第１の好ましい実施形態の底面図である。
【図３】図２に示されている線Ａ−Ａに沿った長手方向断面を示す図である。
【図４】第１の好ましい実施形態の側面図である。
【図５ａ】テンショナの上面側斜視図である。
【図５ｂ】テンショナの底面側斜視図である。
【図６ａ】第１の実施形態のテンショナ端の上面側斜視図である。
【図６ｂ】第１の実施形態のテンショナ端の底面側斜視図である。
【図７ａ】クリップの上面側斜視図である。
【図７ｂ】クリップの底面側斜視図である。
【図８ａ】第１の実施形態のクリップ端の上面側斜視図である。
【図８ｂ】第１の実施形態のクリップ端の底面側斜視図である。
【図９】ゴーグルヘッドストラップ支持体とともに組み付けられた第１の実施形態を示す図である。
【図１０】第１の好ましい実施形態のテンショナの断面図である。
【発明を実施するための形態】
【００４０】
図１、図２、図３及び図４は、水泳用ゴーグルのヘッドストラップの上面図、底面図、長手方向断面図及び側面図を示す。ヘッドストラップは、テンショナ端２を有する第１の部分１を有する。テンショナ端２は、図５ａ、図５ｂ、図６ａ及び図６ｂにより詳細に示されるテンショナ３を含むとともに該テンショナ３において終端している。ヘッドストラップは、クリップ端５を備える第２の部分４を更に含む。クリップ端は、図７ａ、図７ｂ、図８ａ及び図８ｂにより詳細に示されているクリップ６を含むとともに該クリップ６を終端させる。第１の部分１及び第２の部分４は、接続部分（図示せず）を介して互いに連結されている。以下で説明するように、使用時に、第２の部分４はテンショナ３を通り、クリップ６は第２の部分４に解除可能に固定できる。
【００４１】
図５ａ／図５ｂ及び図６ａ／図６ｂは、本発明において有用なポリカーボネートテンショナを示す。ポリカーボネートテンショナは、使用時に着用者の頭部に面する下側表面７と、反対側の上側表面８とを有する。ポリカーボネートテンショナはまた、テンショナ端２に取り付けるための取付部分９を含む。
【００４２】
テンショナ３の上側表面８及び下側表面７は、湾曲して、およそ８６ｍｍの曲率半径を有する凸状の円筒面になる。曲率半径は、平均的な男性の９５％の後頭部の湾曲に適合するように設定される。この湾曲した断面形状は着用者の頭部へのテンショナのフィット性を高めるため、着用者がぴったりフィットする帽子（ハット又はキャップ）をヘッドストラップの上から装着する場合の不快感を最小限に抑えることができる。
【００４３】
テンショナは、取付部分９から延びる二つのアーム１０、１０’によって形成されるフレームを備える。各アームの取付部分から遠い方の端はそれぞれ歯１１、１１’を備える。これらの歯は、取付部分９から遠い方に開口１２を定める。歯１１、１１’は、テンショナ３の下側表面７より上側表面８に近い。テンショナは、アーム１０、１０’間に延びる二つのクロスバー１３、１４を更に備える。取付部分９から遠い方のクロスバー１３は、テンショナ３の上側表面８より下側表面７に近い。取付部分９に近い方のクロスバー１４は、テンショナの上側表面８と下側表面７との間の中間に位置付けることができるが、好ましくは上側表面８に向かって僅かにずらされる。この構成は、以下で説明するように、第２の部分をテンショナに通したときにテンショナの断面形状を最小限に抑えるのに役立つ。
【００４４】
（図５ａ及び図５ｂに示される）テンショナの取付部分９は、爪部１５の幅を横切って延びる二つのリブ１６を有する爪部１５を備える。リブは、爪部１５より大きい幅及び厚さを有する。爪部はまた二つの孔１７を含む。爪部１５、リブ１６及び孔１７は、ヘッドストラップのテンショナ端２へテンショナ３を取り付けるときに役立つように設けられている。ヘッドストラップは、図６ａ及び図６ｂに示されるように取付部分９の周りに成形される（例えば射出成形又は圧縮成形される）プラスチック材料（例えばシリコーン）で形成される。リブ及び孔を設けることによって、テンショナ端２を形成するプラスチック材料と取付部分９との間の結合を堅固にすることが可能である。図３は、テンショナ端２を形成するプラスチック材料内にクロスバー１３、１４が埋め込まれている様子を示す。
【００４５】
図７ａ／図７ｂ及び図８ａ／図８ｂは、本発明において有用なポリカーボネートクリップ６を示す。クリップ６は、挿入部１９及び開口２０を定める一対の固定部１８、１８’を備える。ヘッドストラップの第２の部分４は、開口２０を通して挿入部１９に挿入可能であることによって、クリップ６を第２の部分４に解除可能に固定する。挿入部は、長辺２１及び短辺２２を有する矩形の断面を有し、断面の長辺２１は第２の部分の幅と実質的に一致する。これによって、第２の部分が挿入部内にぴったりと確実に嵌合することができ、クリップが第２の部分に沿って不用意に移動することが防止できる。
【００４６】
短辺２２を定めるクリップ６の短辺２３は、該クリップの短辺が、テンショナ３の、サイドアーム１０、１０’間、二つのクロスバー１３、１４間、及び取付部分に近い方のクロスバー１４と取付部分９との間を通ることができるように十分に小さい。逆に、長辺２１を定めるクリップ６の長辺２４（これはヘッドストラップの第２の部分４の幅と少なくとも一致しなければならない）は通常、テンショナのサイドアーム１０、１０’間、クロスバー１３、１４間、及びクロスバー１４と取付部分との間の距離より大きいため、クリップ６は、該クリップの大きい方の辺が呈されているときはサイドアーム１０、１０’間、クロスバー１３、１４間、及びクロスバー１４と取付部分との間を通ることができない。この構成は、（クロスバーの方向の）テンショナの幅を低減することを可能にする（このことは摩擦抗力を低減し、着用者の快適さを高めるのに役立つ）。テンショナは、クリップの長辺ではなく短辺の通過を可能にするのに十分な幅を有していればよい。
【００４７】
クリップは、爪部２６の幅を横切って延びるリブ２７を有する爪部２６を有する取付部分２５を備え、リブは爪部より大きい幅を有する。爪部は孔２８を更に含み、別の孔２９がクリップの凹部３０に設けられている。
【００４８】
爪部、リブ及び孔は、クリップ６をヘッドストラップのクリップ端５に取り付けるときに役立つように設けられている。ヘッドストラップは、クリップのクリップ取付部分２５及び凹部３０の周りに成形される（例えば射出成形又は圧縮成形される）プラスチック材料（例えばシリコーン）で形成される。リブ及び孔を設けることによって、成形されたプラスチック材料とクリップ６との間の結合を堅固にできる。
【００４９】
使用時に、クリップ６及びクリップ端５を、第１のヘッドストラップ支持体３１に設けられている孔に通し、続いて、第２のヘッドストラップ支持体３１’に設けられている孔に通すことによって、ヘッドストラップは水泳用ゴーグルに最初に接続される。これらの孔は、ヘッドストラップ支持体３１、３１’の寸法高さを最小限に抑えるためにクリップ６の短辺２３のみを受け入れるように寸法が決められる。クリップ６及びクリップ端５をヘッドストラップ支持体の孔に通すことによって、図９に示されるように二つのヘッドストラップ支持体３１、３１’間に延びるストラップのループ３２（接続部分）が得られる。ストラップのテンショナ端２は、一方の側の第１のヘッドストラップ支持体３１に位置し続け、ストラップのクリップ端５は、反対側の第２のヘッドストラップ支持体３１’に位置し続ける。
【００５０】
次いで、以下のステップを行う：
１）クリップ６及びクリップ端５を次いで、テンショナ３の歯１１、１１’と取付部分から遠い方のクロスバー１３との間に通す。クリップは、短辺２３のみが歯とクロスバーとの間に適合するため、短辺２３を下側表面７から上側表面８に向かって通す。
２）クリップ６及びクリップ端５を次いで、テンショナ３の取付部分から遠い方のクロスバー１３と取付部分に近い方のクロスバー１４との間に通す。クリップは、短辺２３のみがクロスバー間に適合するため、短辺２３を上側表面８から下側表面７に向かって通す。
３）クリップ６及びクリップ端５を次いで、テンショナ３の取付部分に近い方のクロスバー１４と取付部分９との間に通す。クリップは、短辺２３のみがクロスバーと取付部分との間に適合するため、短辺２３を下側表面７から上側表面８に向かって通す。
４）クリップ端５に近い方のストラップの第２の部分４を次いで、取付部分９に近い方のクロスバー１４に回してループ状にして通って来たルートを通り、開口１２に挿入して歯１１、１１’の下に通す。この結果、図１０に示されるようにクリップ端５がヘッドストラップの第２の部分４にループ状にして戻される。
【００５１】
図１０に示されるように、テンショナの歯１１、１１’及びクロスバー１３、１４の構成は、テンショナの厚さを最小限に抑えるのに役立つ（これによって、ぴったりフィットする帽子（ハット又はキャップ）を装着したときの不快感を低減し、また摩擦抵抗を低減する）。ヘッドストラップの第２の部分４は、歯１１、１１’、及び取付部分から遠い方のクロスバー１３に対して二重の層として位置し、一方で第２の部分４は、取付部分９に近い方のクロスバー１４の周りでループ状になるため、一つの層のみが近い方のクロスバー１４の両側に位置することが分かる。遠い方のクロスバー１３と歯１１、１１’とのずれは、二重の層になった第２の部分４の、テンショナ３の表面７、８を越えて突出することを防止するのに有用である。第２の部分４の二重の層は遠い方のクロスバー１３の上を通るため、遠い方のクロスバー１３を上側表面８から離して位置決めすることは、二重の層が上側表面８の上方から突出することなく位置できるスペースを提供するのに役立つ。第２の部分４の二重の層は歯１１、１１’の下を通るため、歯を下側表面７から離して位置決めすることは、二重の層が下側表面７の下方から突出することなく位置できるスペースを提供するのに役立つ。
【００５２】
図９において分かるように、クリップは、第２の部分４を開口２０を通して挿入部１９に挿入することによってクリップ端から離れた第２の部分４に固定される。
【００５３】
テンショナ３及びクリップ６で終端する二つの端を有するヘッドストラップを提供することによって、クリップ６は、第２の部分４をテンショナ３に通した後で第２の部分に解除可能に固定でき、自由端がパタパタと動くことで不快感を引き起こし、注意の散漫させる問題を解決できる。
【００５４】
クリップ６は、第２の部分４に解除可能に固定でき、第２の部分４に沿って摺動することによって移動可能である。これによって、第２の部分４におけるテンショナ３とクリップ端５との間に緩みが生じることを防止でき、この場合も同様に不快感及び注意の散漫の可能性を低減する。この移動は、以下に説明するようにヘッドストラップの張りの調節に役立つようにすることが望ましい。
【００５５】
第２の部分４は、その長手方向の少なくとも一部に沿って裏面に設けられる目に見える印３２を有する。テンショナ３は、ヘッドストラップの使用時に第２の部分４上の上記印３２のうちの少なくとも一つが見える、窓３３を含む。窓は、サイドアーム１０、１０’、歯１１、１１’及び取付部分９によって定められる。印３２を第２の部分に設けることによって、ヘッドストラップの所望の張りを確実に再現することが可能である。着用者は、ヘッドストラップを所望の張りに合わせてから、所望の張りにおいてテンショナ窓内の印３２’を見ることができる。この場合、着用者は、所望の張りを再び生じさせるために、同じ印３２’がテンショナ窓３３内に位置するようにヘッドストラップを調節できることが分かる。
【００５６】
テンショナは、所望の印３２’をテンショナ窓３３内に正確に位置決めするのに有用な指標３４を含む。指標は矢印状の要素である。指標は、テンショナの上側表面８から突出する。指標３４を設けることによって、着用者は、テンショナ窓３３内の所望の印３２’の必要な位置をより正確に判断することができる。
【図１】
0006042105.tif 000002
【図２】
0006042105.tif 000003
【図３】
0006042105.tif 000004
【図４】
0006042105.tif 000005
【図５ａ】
0006042105.tif 000006
【図５ｂ】
0006042105.tif 000007
【図６ａ】
0006042105.tif 000008
【図６ｂ】
0006042105.tif 000009
【図７ａ】
0006042105.tif 000010
【図７ｂ】
0006042105.tif 000011
【図８ａ】
0006042105.tif 000012
【図８ｂ】
0006042105.tif 000013
【図９】
0006042105.tif 000014
【図１０】
0006042105.tif 000015